(57)【要約】【課題】  高圧放電灯の寿命末期などにおいて、立ち消える範囲の調光レベルが上昇した場合でも、立消えを起こさずに高圧放電灯を調光することのできる高圧放電灯点灯装置及び照明装置を提供する。【解決手段】  第１の制御回路部７が、調光信号による調光範囲が高圧放電灯Ｌａを瞬時に調光すると立ち消える範囲を含む場合には、立ち消えない第１の調光レベルまでは高圧放電灯Ｌａを瞬時に調光し、その後に立消えの発生しにくい調光スピードで調光下限値である第２の調光レベルまで徐々に調光するように制御するとともに、電圧検出回路６で検出される電圧が所定の電圧範囲を外れた場合には、第１の調光レベルを第１の調光レベルよりも大きい第３の調光レベルに変化させている。【選択図】図１
2005123140.tif 000002
【特許請求の範囲】
【請求項１】
高圧放電灯に出力電圧を印加して電力を供給する点灯回路部と、少なくとも点灯回路部の出力電圧を反映した電圧を制御し高圧放電灯を調光信号に応じて調光する第１の制御回路部と、高圧放電灯の両端電圧を反映した電圧を検出する電圧検出回路と、を備え、第１の制御回路部は、調光信号による調光範囲が高圧放電灯を瞬時に調光すると立ち消える範囲を含む場合には、立ち消えない第１の調光レベルまでは高圧放電灯を瞬時に調光し、その後に立消えの発生しにくい調光スピードで調光下限値である第２の調光レベルまで徐々に調光するように制御するとともに、電圧検出回路で検出される電圧が所定の電圧範囲を外れた場合には、第１の調光レベルを第１の調光レベルよりも大きい第３の調光レベルに変化させることを特徴とする高圧放電灯点灯装置。
【請求項２】
高圧放電灯に出力電圧を印加して電力を供給する点灯回路部と、少なくとも点灯回路部の出力電圧を反映した電圧を制御し高圧放電灯を調光信号に応じて調光する第２の制御回路部と、を備え、第２の制御回路部は、調光信号による調光範囲が高圧放電灯を瞬時に調光すると立ち消える範囲を含む場合には、立ち消えない第１の調光レベルまでは高圧放電灯を瞬時に調光し、その後に立消えの発生しにくい調光スピードで調光下限値である第２の調光レベルまで徐々に調光するように制御するとともに、点灯時間積算手段による積算時間が所定の時間を超えた場合には、第１の調光レベルを第１の調光レベルよりも大きい第４の調光レベルに変化させることを特徴とする請求項１に記載の高圧放電灯点灯装置。
【請求項３】
第３又は第４の調光レベルから第２の調光レベルまでの間を調光する調光スピードを、深く調光するにつれて遅くしていくことを特徴とする請求項１又は２に記載の高圧放電灯点灯装置。
【請求項４】
高圧放電灯と、請求項１から請求項３までのいずれかに記載の高圧放電灯点灯装置と、を備えたことを特徴とする照明装置。
【発明の詳細な説明】
【技術分野】
【０００１】
本発明は、高圧放電灯を調光する高圧放電灯点灯装置及び照明装置に関するものである。
【背景技術】
【０００２】
この種の従来例として、特許３３０６９０４号公報に記載のものが挙げられる。このものは、図６に示すように高圧放電灯ＪＬａに出力電圧を印加して電力を供給する点灯回路部Ｊ１と、点灯回路部Ｊ１の出力電圧を制御し高圧放電灯ＪＬａを調光信号に応じて調光する制御回路部Ｊ４と、を備えて成る放電灯点灯装置において、制御回路部Ｊ４を調光信号による調光範囲が高圧放電灯ＪＬａを瞬時に調光しても立ち消えない範囲内の場合には、所定の調光レベルまで瞬時に調光するとともに、調光信号による調光範囲が高圧放電灯ＪＬａを瞬時に調光すると立ち消える範囲を含む場合には、立ち消えない範囲まで高圧放電灯ＪＬａを瞬時に調光し、その後に立ち消えの発生しにくい調光スピードで所定の調光レベルまで徐々に調光するようにしているので、瞬時に変化する光束の量が大きく目視により容易に調光状態が確認でき、しかも、調光範囲が拡大できるとともに、所定の調光レベルまで安定に短時間に到達できるという効果を奏するものである。
【特許文献１】特許３３０６９０４号公報
【発明の開示】
【発明が解決しようとする課題】
【０００３】
ところが、一般に高圧放電灯（以下、高圧放電灯の両端に印加される電圧を「高圧放電灯電圧」という。）は、点灯時間の経過とともに通常点灯状態における高圧放電灯電圧が上昇していき、特に高圧放電灯の寿命末期時や何らかの原因でバルブ内に封入されているガスが抜けた場合などにおいて、使用開始当初の高圧放電灯電圧、あるいは寿命末期までには至らないときの高圧放電灯電圧よりも高くなる傾向にある。このような場合においては、高圧放電灯を瞬時に調光しても立ち消えを起こさない範囲が変化していることとなり、使用開始当初には高圧放電灯を瞬時に調光しても立消えを起こさない範囲であっても、寿命末期時などにおいて高圧放電灯を瞬時に調光したときは、立消えを起こす場合があった
本発明は、上記問題点に鑑みてなしたものであり、その目的とするところは、高圧放電灯の寿命末期などにおいて、立ち消える範囲の調光レベルが上昇した場合でも、立消えを起こさずに高圧放電灯を調光することのできる高圧放電灯点灯装置及び照明装置を提供することにある。
【課題を解決するための手段】
【０００４】
上記課題を解決するために、本願発明においては、第１の制御回路部が、調光信号による調光範囲が高圧放電灯を瞬時に調光すると立ち消える範囲を含む場合には、立ち消えない第１の調光レベルまでは高圧放電灯を瞬時に調光し、その後に立消えの発生しにくい調光スピードで調光下限値である第２の調光レベルまで徐々に調光するように制御するとともに、電圧検出回路で検出される電圧が所定の電圧範囲を外れた場合には、第１の調光レベルを第１の調光レベルよりも大きい第３の調光レベルに変化させたり、第２の制御回路部が、点灯時間積算手段による積算時間が所定の時間を超えた場合には、第１の調光レベルを第１の調光レベルよりも大きい第４の調光レベルに変化させている。
【発明の効果】
【０００５】
本発明の高圧放電灯点灯装置においては、第１の制御回路部が、調光信号による調光範囲が高圧放電灯を瞬時に調光すると立ち消える範囲を含む場合には、立ち消えない第１の調光レベルまでは高圧放電灯を瞬時に調光し、その後に立消えの発生しにくい調光スピードで調光下限値である第２の調光レベルまで徐々に調光するように制御するとともに、電圧検出回路で検出される電圧が所定の電圧範囲を外れた場合には、第１の調光レベルを第１の調光レベルよりも大きい第３の調光レベルに変化させるたり、第２の制御回路部が、点灯時間積算手段による積算時間が所定の時間を超えた場合には、第１の調光レベルを第１の調光レベルよりも大きい第４の調光レベルに変化させているので、高圧放電灯の寿命末期などにおいて、高圧放電灯電圧が上昇し、高圧放電灯を瞬時に調光すると立ち消える範囲の調光レベルが上昇した場合でも、瞬時に調光する下限の調光レベルを上昇させることにより、立消えを起こすことなく高圧放電灯を調光することができる。
【発明を実施するための最良の形態】
【０００６】
（第１の実施の形態）
以下、本発明の第１の実施の形態を図１から図３までを参照して説明する。図１は本実施の形態の回路図を示しており、図２は照明装置の断面図を示している。また、図３は高圧放電灯電圧の経時変化を示している。
【０００７】
つぎに、各部の構成を説明する。
【０００８】
電源Ｅは、降圧チョッパ回路１へ電力を供給するものであり、出力電圧が、たとえば、３００Ｖから４００Ｖの直流電源である。
【０００９】
降圧チョッパ回路１は、極性反転回路３へ直流電力を供給するものであり、スイッチング素子Ｑ１、ダイオードＤ、及びインダクタＬ１を有している。そして、インダクタＬ１の後段にはフィルムコンデンサなどのコンデンサＣ１が接続されており、このインダクタＬ１とコンデンサＣ１とで高周波電圧を遮断するフィルタ回路を構成している。ここで、降圧チョッパ回路１は、その他、昇降圧チョッパ回路などであっても構わない。要は、ある直流電圧を別の異なる所望の直流電圧に変換するものであれば、どのような回路構成でも構わない。
【００１０】
極性反転回路３は、コンデンサＣ１からの直流電圧を数１０Ｈｚ〜数百１００Ｈｚ程度の低周波の矩形波電圧に変換して、高圧放電灯Ｌａに電力を供給するものである。この極性反転回路３は、コンデンサＣ１に並列に接続されたスイッチング素子Ｑ２及びスイッチング素子Ｑ３の直列回路と、同じくコンデンサＣ１に並列に接続されたスイッチング素子Ｑ４及びスイッチング素子Ｑ５の直列回路と、を有している。ここで、スイッチング素子Ｑ２からＱ５までは電界効果トランジスタや電力型のトランジスタである。そして、スイッチング素子Ｑ２及びＱ５が対をなし、スイッチング素子Ｑ３及びＱ４が対をなし、図示はしない駆動回路（たとえば、三菱電機株式会社製の集積回路Ｍ６３９９１ＦＰ）によって、数１０Ｈｚ〜数百１００Ｈｚ程度の低周波で交互にオンオフ動作をしている。
【００１１】
イグナイタ回路４は、高圧放電灯Ｌａの始動時に高圧放電灯Ｌａにパスル状の高電圧を印可するものである。このイグナイタ回路４は、インダクタＬ２及びコンデンサＣ２を有しており、インダクタＬ２とコンデンサＣ２との直列共振回路の共振動作により、高圧放電灯Ｌａの始動時に高圧放電灯Ｌａに数ｋＶから数十ｋＶの高圧パルス電圧を発生させる。
【００１２】
そしてこの降圧チョッパ回路１、極性反転回路３、及びイグナイタ回路４とで点灯回路部５を構成している。
【００１３】
高圧放電灯Ｌａは、本発明の照明装置の光源となるものであり、たとえば、高圧ナトリウム灯、メタルハライドランプ及び水銀灯などのＨＩＤランプである。
電圧検出回路６は、高圧放電灯Ｌａの両端電圧を反映した電圧を検出するものであり、本実施の形態ではコンデンサＣ１の両端電圧を直接検出し、検出した電圧を第１の制御回路７に入力している。このようにコンデンサＣ１の両端電圧を直接検出すると、コンデンサＣ１の両端電圧を、たとえば、抵抗で分圧した電圧を検出するよりも、検出感度を上げることができる。  なお、本実施の形態では、コンデンサＣ１の両端電圧を検出しているが、電圧検出回路６の設置箇所は、その他、スイッチング素子Ｑ３の両端電圧や高圧放電灯電圧など、高圧放電灯Ｌａの両端電圧に比例する電圧を検出する箇所であれば、いかなる箇所を検出してもよい。
また、本実施の形態では、コンデンサＣ１の両端電圧を検出しているが、検出するものはこの両端電圧に限られず、他の電気特性（高圧放電灯Ｌａに流れる電流、高圧放電灯Ｌａの消費電力、さらには、高圧放電灯Ｌａの発光効率（ルーメン毎ワット））、光学特性（高圧放電灯Ｌａの照度又は色温度、さらには、輝度、光束、光度）、あるいは、温度特性（高圧放電灯Ｌａの最冷点温度、管壁温度又は口金温度）を検出してもよい。要は、高圧放電灯Ｌａの正常点灯時と寿命末期時などとを差別化できる特性あれば、いかなる特性を検出してもよい。
【００１４】
第１の制御回路７は、スイッチング素子Ｑ１の動作周波数を制御し高圧放電灯Ｌａを調光するとともに、電圧検出回路６で検出された電圧に応じて後述する第１の調光レベルを変化させるものである。すなわち、第１の制御回路７は、予め第１の制御回路７が有するメモリに高圧放電灯Ｌａの種類に応じて高圧放電灯Ｌａを瞬時に調光しても立消えを起こさない第１の調光レベルと、高圧放電灯Ｌａの調光下限値である第２の調光レベルとを記憶しており、第１の調光レベルまでは高圧放電灯Ｌａを瞬時に調光するとともに、その後は、立消えの発生しにくい調光スピードで第２の調光レベルまで徐々に調光している。そして電圧検出回路６で検出された電圧に応じて第１の調光レベルをその他の調光レベルに変化させている。
この第１の制御回路７は、たとえば、集積回路ＩＣ１である日本電気株式会社製のアナログマスターμＰＣ５０２１ＧＴ、調光レベルを記憶するメモリ、及びその他の回路部を有している。
抵抗Ｒ１及びＲ２の直列回路及びコンデンサＣ４は、回路グランドと集積回路ＩＣ１との間に並列的に接続されており、スイッチング素子Ｑ１のオンデューティーを決定している。
すなわち、抵抗Ｒ１及びＲ２に流れる電流と同じ電流によってコンデンサＣ４を充電し、所定の電圧に達すると今度は放電を開始する。このコンデンサＣ４を充電している期間がスイッチング素子Ｑ１のオン期間に対応している。そして、この抵抗Ｒ１及びＲ２に流れる電流を制御することによって、スイッチング素子Ｑ１のデューティーを制御している。
【００１５】
抵抗Ｒ１及びＲ２に流れる電流を制御する制御態様は以下のとおりである。すなわち、まず、汎用の調光器Ｔからの矩形波信号をダイオードブリッジＤＢ１で全波整流し、フォトカプラＰＣ１に流れる電流を制限する抵抗Ｒ１２とフォトカプラＰＣ１を介して、スイッチング素子Ｑ６をスイッチングする。この場合、スイッチング素子Ｑ６がオフしているときには、直流電源Ｅから分圧された抵抗Ｒ３、Ｒ４を介してコンデンサＣ３を充電し、スイッチング素子Ｑ６がオンしているときには、抵抗Ｒ４を介してコンデンサＣ３の電荷が引き抜かれる。以上の説明からわかるように、調光器Ｔの矩形波信号のオンデューティーが大きいほどＣ３の電圧が高くなる。
【００１６】
つぎに、コンデンサＣ３の電圧は抵抗Ｒ６及びＲ７を介して、差動増幅器ＯＰ１の非反転入力に入力されており、また、差動増幅器ＯＰ１の反転入力は抵抗Ｒ８を介して回路グランドに接続されている。ここで、差動増幅器ＯＰ１は非反転入力と反転入力が等しくなるよう動作し、抵抗Ｒ８両端にはコンデンサＣ３の両端電圧を抵抗Ｒ６及びＲ７で分圧した電圧が印加される。ここで、コンデンサＣ３の両端電圧が高いほど、抵抗Ｒ８の両端電圧も高くなり、抵抗Ｒ８に流れる電流も増加する。その結果、抵抗Ｒ１に流れる電流も増加するため、コンデンサＣ２の電圧が所定の電圧に達するまでの時間が短くなる。したがって、スイッチング素子Ｑ１のオンデューティーが小さくなり、高圧放電灯Ｌａが調光される。
【００１７】
また、ツェナーダイオードＺＤ１及びＺＤ２並びにスイッチング素子Ｑ８によって、第１の調光レベルを変化させている。すなわち、第１の制御回路７に入力された電圧検出回路６からの検出電圧と予め設定している所定の電圧範囲とを、第１の制御回路７内部に有する比較器（図示しない）によって比較し、検出電圧が所定の電圧範囲外であれば、スイッチング素子Ｑ８をオンさせる。スイッチング素子Ｑ８がオンするとコンデンサＣ３の電圧はツェナーダイオードＺＤ１のオン電圧によって決定され、このツェナーダイオードＺＤ１のオン電圧は、スイッチング素子Ｑ８がオフしているときのツェナーダイオードＺＤ１及びＺＤ２のオン電圧の和よりも小さい。すなわち、スイッチング素子Ｑ８がオンするとコンデンサＣ３の電圧は低い値に抑えられ、したがって、高圧放電灯Ｌａの調光度合いも小さくなる。本実施の形態では、ツェナーダイオードＺＤ１及びＺＤ２のオン電圧の和によって決まる調光度合いを第１の調光レベルとしており、ツェナーダイオードＺＤ１のオン電圧のみによって決まる調光度合いを第３の調光レベルとしている。
【００１８】
ここで、点灯回路部５と第１の制御回路７とで高圧放電灯点灯装置２０を構成しており、図２に示すように、高圧放電灯Ｌａの周囲を囲って配光制御を行う一面に開口部１７をもった反射鏡１８と、高圧放電灯Ｌａ装着用のソケット１９と電気的に接続されて高圧放電灯Ｌａの点灯制御を行う高圧放電灯点灯装置２０とから照明装置が構成されている。もちろん、照明装置はこのような形状のものに限られない。
【００１９】
つぎに、本実施の形態の動作を図３を参照して説明する。図３の横軸ｔは時間の経過を示しており、縦軸は高圧放電灯電圧（コンデンサＣ１の電圧）の変化を示している。
【００２０】
いまｔ＝ｔ０において、直流電源Ｅが投入されると、点灯回路部５や第１の制御回路部７に電力が供給され、各部が動作を開始するとともに高圧放電灯Ｌａの始動期間が開始する。つぎに、イグナイタ回路４によって、高圧放電灯Ｌａの一端に高圧パルス電圧が印加され続けると、ｔ＝ｔ１において、高圧放電灯Ｌａは点灯を開始する。そして、高圧放電灯電圧は数分からときには数十分かけて、ｔ＝ｔ２において、通常点灯状態に移行する。ｔ＝ｔ２以降は、電圧検出回路６によって検出されたコンデンサＣ１の電圧が、第１の制御回路部７に入力されている。
【００２１】
高圧放電灯Ｌａの正常時に高圧放電灯Ｌａを調光下限まで調光する場合は、ｔ＝ｔ３において第１の調光レベルまで瞬時に調光し、その後、ｔ＝ｔ３〜ｔ４において、立消えの発生しにくい調光スピードで調光下限値である第２の調光レベルまで徐々に調光する。期間（ｔ４―ｔ３）は、高圧放電灯Ｌａの種類、特性、主に点灯前の消灯時間などの点灯状態、管内温度などの管内状態、及び寿命等を考慮し、適宜最適な値に設定している。
【００２２】
つぎに、高圧放電灯Ｌａに寿命末期時などの異常状態が発生した場合の調光態様を説明する。
【００２３】
出願人の実験結果によれば、松下電器産業株式会社製のメタルハライドランプＭＴ１５０ＣＥ（通常点灯時の消費電力１５０Ｗ）において、寿命末期時のバルブ内部に封入されているガスが徐々に抜けてしまう、いわゆるスローリーク現象が生じた場合、高圧放電灯電圧は通常点灯時の略９０Ｖから略６０Ｖと略３３％減少した。また、高圧放電灯Ｌａの発光管を構成する部分の外側であって、高圧放電灯Ｌａの外管を構成する部分の内側で放電が発生する、いわゆる外管内放電が生じた場合、高圧放電灯電圧は通常点灯時の略９０Ｖから略１４０Ｖと略５５％も上昇した。その他、寿命末期時の電極変形、半波放電によっても、高圧放電灯電圧は通常点灯時の値よりも２０％から６０％程度、減少したり上昇したりする。
【００２４】
通常、メタルハライドランプＭＴ１５０ＣＥの調光下限は、光出力比で５０％〜６０％（高圧放電灯電圧は７０Ｖ〜８０Ｖ）であるが、寿命末期時に高圧放電灯電圧が上昇した場合、高圧放電灯Ｌａの放電状態が不安定となるため、高圧放電灯電圧が７０Ｖ〜８０Ｖよりも高い値、たとえば、９０Ｖ程度で立消えを起こしてしまう。
【００２５】
ここで、第１の制御回路７は電圧検出回路６で検出される電圧が所定の電圧範囲内の場合には、高圧放電灯Ｌａが正常とみなし、第１の調光レベルを特に変化させないが、高圧放電灯Ｌａに上述のような異常現象が発生し、電圧検出回路６で検出される電圧がオンすると、ツェナーダイオードＺＤ１のオン電圧のみによって、コンデンサＣ３の上限電圧が決定されるので（第３の調光レベル）、所定の電圧範囲外となった場合には、高圧放電灯Ｌａに異常現象が生じたとみなし、第１の調光レベルを第１の調光レベルよりも高い第３の調光レベルに変化させる。このように、電圧検出回路６で検出される電圧が所定の電圧範囲外となった瞬時に調光するレベルを高く設定しておくと、高圧放電灯電圧が上昇し、高圧放電灯Ｌａを瞬時に調光すると立ち消える範囲の調光レベルが上昇した場合でも、立消えを起こすことなく高圧放電灯Ｌａを調光することができる。
【００２６】
なお、本実施の形態では、電圧検出回路６によって高圧放電灯電圧を検出することにより、第１の調光レベルを変化させたが、電圧検出回路６の代わりにスイッチング素子Ｑ８を制御する点灯時間積算手段（図示しない）を設けておいて、この点灯時間積算手段を含む制御回路を第２の制御回路とし、この第２の制御回路によって、スイッチング素子Ｑ１の動作周波数を制御するとともに、点灯時間積算手段で積算された高圧放電灯Ｌａの総点灯時間電圧に応じて第１の調光レベルを変化させてもよい。すなわち、予め高圧放電灯Ｌａが寿命になるまでの時間を実験やシュミレーションなどによって確認しておき、点灯時間積算手段によって積算された高圧放電灯Ｌａの総点灯時間が該寿命時間を超えたときに、スイッチング素子Ｑ８をオンさせる。このような点灯時間積算手段は、高圧放電灯Ｌａが寿命等により取り替えられたとき、あるいは、高圧放電灯点灯装置２０が出荷され高圧放電灯Ｌａを始めて点灯したときから、高圧放電灯Ｌａの通常点灯時の点灯時間を積算していくものであり、株式会社東芝製のＴＭＰ４７Ｃ１０２のような汎用マイコンでもよいし、日本電気株式会社製のμＰＣ１５５５のような汎用の集積回路を用いて構成してもよい。このように、点灯時間積算手段によって高圧放電灯Ｌａの総点灯時間を積算し、所定の時間経過後に第１の調光レベルを第１の調光レベルよりも大きい第４の調光レベルに変化させる制御を行っても、高圧放電灯Ｌａが寿命になったときに、立消えを起こすことなく高圧放電灯Ｌａを調光することができる。
【００２７】
（第２の実施の形態）
以下、本発明の第２の実施の形態を図４及び図５までを参照して説明する。図４は第２の制御回路を変形した制御回路の回路図を示しており、図５は第２の制御回路を変形した他の制御回路の回路図を示している。ここで、第１の実施の形態と同一構成には同一符号を付すことにより説明を省略する。
【００２８】
本実施の形態においては図４に示すように、図１に回路において、抵抗Ｒ５と抵抗Ｒ７の間に差動増幅器ＯＰ２、スイッチング素子Ｑ８、差動増幅器ＯＰ３、コンデンサＣ５、及び抵抗Ｒ１０を設け、さらにスイッチング素子Ｑ８を制御する比較器ＣＰ１とタイママイコンＴＭとを設けている（図４においては、図１の回路におけるツェナーダイオードＺＤ１及びＺＤ２並びにスイッチング素子Ｑ８は図示していない。）。
【００２９】
第１の実施の形態で説明したように、高圧放電灯Ｌａに異常状態が発生した場合において高圧放電灯Ｌａを調光するときには、通常状態よりも放電状態が不安定となっているため、高圧放電灯Ｌａの総点灯時間が所定の時間経過後、第１の調光レベルを第１の調光レベルよりも大きい第４の調光レベルに変化させる制御行い、その後、第４の調光レベルから第２の調光レベルに線形的に調光していくと、立消えを起こす場合がある。このように場合に第４の調光レベルから第２の調光レベルに線形的に調光していくことに代えて、第４の調光レベルから第２の調光レベルまでの間を調光する調光スピードを、深く調光するにつれて遅くする制御を行うと高圧放電灯Ｌａの立消えを、より確実に防ぐことができる場合がある。
【００３０】
すなわち、高圧放電灯Ｌａの総点灯時間が所定の時間を経過した後に、タイママイコンＴＭが比較器ＣＰ１にハイ信号を出力する。すると、比較器ＣＰ１がハイ信号を出力し、スイッチング素子Ｑ９がオンする。スイッチング素子Ｑ９がオンすると、抵抗Ｒ１０及びコンデンサＣ５のいわゆるＣＲ回路によって、コンデンサＣ５が徐々に充電されていく。このときの充電態様は、時間の経過とともに、コンデンサＣ５の電圧の上昇度は緩やかになっていく。そして、コンデンサＣ４を充電している期間がスイッチング素子Ｑ１のオン期間に対応しているので、高圧放電灯Ｌａの調光スピードは、調光が深くなるにつれて遅くなっていくのである。このような制御を行うと、高圧放電灯Ｌａの立消えをより確実に防ぐことができる。
【００３１】
また、本実施の応用形態として、図５に示すように比較器ＣＰ１の出力端子にスイッチング素子Ｑ１０を設け、コンデンサＣ５と直列にコンデンサＣ６を設けてもよい。
【００３２】
すなわち、高圧放電灯Ｌａの総点灯時間が所定の時間を経過した後、さらにある所定の時間を経過したときにタイママイコンＴＭが比較器ＣＰ１にロー信号を出力し、スイッチング素子Ｑ１０をオンさせて、ＣＲ回路の時定数を、抵抗Ｒ１０及びコンデンサＣ６によって決まる時定数から、抵抗Ｒ１０及びコンデンサＣ６とコンデンサＣ５の合成容量によって決まる時定数に変化させ、高圧放電灯Ｌａの調光スピードを、調光が深くなるにつれて２段階に分けて遅くしていく。このような制御を行っても、高圧放電灯Ｌａの立消えをより確実に防ぐことができる。
【００３３】
なお、本実施の形態で特に言及していない作用・効果等は第１の実施の形態と同様である。
【図面の簡単な説明】
【００３４】
【図１】第１の実施の形態を示す回路図である。
【図２】照明装置を示す断面図である。
【図３】高圧放電灯電圧の経時変化を示す特性図である。
【図４】第２の実施の形態において、第２の制御回路を変形した制御回路を示す回路図である。
【図５】第２の実施の応用形態において、第２の制御回路を変形した制御回路を示す回路図である。
【図６】従来例を示す回路図である。
【符号の説明】
【００３５】
Ｌａ      高圧放電灯
５        点灯回路部
７        第１の制御回路部
６        電圧検出回路
２０      高圧放電灯点灯装置
【図１】
2005123140.tif 000003
【図２】
2005123140.tif 000004
【図３】
2005123140.tif 000005
【図４】
2005123140.tif 000006
【図５】
2005123140.tif 000007
【図６】
2005123140.tif 000008